(57)【特許請求の範囲】
【請求項１】
少なくとも２層のプラスチック製フィルムを積層した複合フィルム基材からなる小袋内に、液体洗浄剤組成物を収容した小袋入り液体洗浄剤であって、
前記複合フィルム基材は、袋内面側最内層が直鎖状低密度ポリエチレンフィルムからなり、この袋外面側に補強用プラスチックフィルムが積層されてなり、
また、前記液体洗浄剤は、非イオン界面活性剤を主剤としエタノールを含有する液体洗浄剤であって
（ａ）直鎖アルキルベンゼンスルホン酸塩と
（ｂ）下記化１の一般式（１）で示されるカチオン界面活性剤
【化１】
0003563796.tif 000005
（Ｒ１Ｒ２：メチル基または炭素数１４〜２２のアルキル基またはアルケニル基を示し、Ｒ１とＲ２が同時にメチル基となることはない。
Ｘ：陰イオン）
とを含有する事を特徴とするプラスチック製小袋入り液体洗浄剤。
【発明の詳細な説明】
【０００１】
【産業上の利用分野】
本発明は、液体洗浄剤をプラスチック製小袋に収容した場合に、長期保存時、特に屋外保存時において発生するゲル状塊（ダマ）の生成を防止する安定な小袋入り組成物に関するものである。
【０００２】
【従来の技術】
従来、液体洗浄剤はワンウェイタイプのプラスチックボトルに充填・包装されていたが、近年、省資源やプラスチックゴミ問題の観点から、薄いプラスチックフィルムの小袋に詰めた詰め替え用液体洗浄剤が求められている。これらプラスチックフィルム製小袋がガス透過性であるためか、小袋入りの詰め替え用液体洗浄剤は、長期保存により、特に屋外保存時に小袋内にダマが発生して商品価値が著しく損なわれていた。
【０００３】
【発明が解決しようとする課題】
本発明は、屋外保存時でも小袋内にダマを発生させない安定な小袋入り液体洗浄剤を提供する事を目的とする。
【０００４】
【課題を解決するための手段】
本発明は、特定の合成樹脂積層複合フィルムよりなる小袋に収容される非イオン界面活性剤を主剤としエタノールを含有する液体洗浄剤において、特定のアニオン界面活性剤とカチオン界面活性剤を用いることにより、保存下でのダマ発生を防止する事を見出し本発明を完成するに至った。
【０００５】
すなわち本発明の小袋入り液体洗浄剤は、少なくとも２層のプラスチック製フィルムを積層した複合フィルム基材からなる小袋内に、液体洗浄剤組成物を収容した小袋入り液体洗浄剤であって、
前記複合フィルム基材は、袋内面側最内層が直鎖状低密度ポリエチレンフィルムからなり、この袋外面側に補強用プラスチックフィルムが積層されてなり、
また、前記液体洗浄剤は、非イオン界面活性剤を主剤としエタノールを含有する液体洗浄剤であって
（ａ）直鎖アルキルベンゼンスルホン酸塩と
（ｂ）下記化２の一般式（１）で示されるカチオン界面活性剤
【０００６】
【化２】
0003563796.tif 000002
（Ｒ１Ｒ２：メチル基または炭素数１４〜２２のアルキル基またはアルケニル基を示し、Ｒ１とＲ２が同時にメチル基となることはない。
Ｘ：陰イオン）
とを含有する事を特徴とする。
【０００７】
【発明の実施態様】
本発明に用いられる主剤である非イオン界面活性剤は特に限定されるものではなく、例えば以下のものが挙げられる。
【０００８】
１）炭素数８〜１８の１級または２級アルコールにエチレンオキサイド（ＥＯ）及び／又はプロピレンオキサイド（ＰＯ）を平均６〜１８モル付加したポリオキシアルキレンアルキルまたはアルケニルエーテル、
２）炭素数８〜２２の脂肪酸にエチレンオキサイド（ＥＯ）及び／又はプロピレンオキサイド（ＰＯ）を平均６〜１８モル付加したポリオキシアルキレンアルキルまたはアルケニル脂肪酸エステルまたはその低級アルコールエーテル、
【０００９】
３）平均炭素数６〜１２のアルキル基を有しエチレンオキサイドを平均６〜２０モル付加したポリオキシエチレンアルキルフェニルエーテル、
４）プロピレンオキサイドとプロピレングリコールとの縮合物にエチレンオキサイドを付加したもの（プルロニック型界面活性剤）、
【００１０】
５）プロピレンオキサイドとエチレンジアミンとの縮合物にエチレンオキサイドを付加したもの（テトロニック型界面活性剤）、
６）平均炭素数１０〜２０の脂肪酸と蔗糖とのエステル、
７）平均炭素数１０〜２０の脂肪酸グリセリンモノエステル、
【００１１】
８）炭素数１０〜２０のアルキル基またはアルケニル基を有するアルキルまたはアルケニルアミンオキサイド、
９）炭素数８〜２０のアルキルポリグリコシド
これらのアルキル基またはアルケニル基は直鎖または分岐鎖の何れであっても良い。
【００１２】
これらのうち上記１）または２）の非イオン界面活性剤が好ましく、さらに好ましくは上記１）の非イオン界面活性剤である。
これらは、単独で用いてもよく２種類以上組み合わせて用いても良い。
本発明の液体洗浄剤組成物において、非イオン界面活性剤の配合量は特に限定されるものではないが、好ましくは１５重量％〜５０重量％の範囲で用いられる。
【００１３】
本発明中のエタノールの配合量としては特に限定されるものではないが、好ましくは１重量％〜８重量％、さらに好ましくは２重量％〜６重量％の範囲で用いられる。
【００１４】
本発明の（ａ）成分としては直鎖アルキルベンゼンスルホン酸塩が用いられ、アルキル基の炭素数は８〜１６の範囲が好適であり、これはナトリウム塩、カリウム塩、アルカノールアミン塩、アンモニウム塩などの水溶性塩のいずれであっても良い。（ａ）成分の配合量としては特に限定はないが、好ましくは０．５重量％〜１０重量％、さらに好ましくは１重量％〜６重量％の範囲で用いられる。
【００１５】
本発明の（ｂ）成分としては一般式（１）で示されるカチオン界面活性剤が用いられる。具体的にはモノアルキルまたはモノアルケニルトリメチルアンモニウム塩あるいはジアルキルまたはジアルケニルジメチルアンモニウム塩が挙げられ、これらは塩酸塩、硫酸塩などのいずれであっても良い。
（ｂ）成分の配合量としては特に限定はないが、好ましくは０．３重量％〜１０重量％、さらに好ましくは０．５重量％〜５重量％の範囲で用いられる。
【００１６】
さらに、本発明の液体洗浄剤組成物においては、通常洗浄剤組成物に用いられている種々の添加剤、例えば、多価アルコール、低級アリールスルホン酸塩などのハイドロトロープ剤、安息香酸塩、イソチアゾロン化合物などの防腐剤、高級アルキルまたは高級アルケニルアミン塩やシリコーン等の風合い改良剤、苦味催吐剤等の誤飲防止剤、色素、香料、酸化防止剤などを必要に応じて添加することもできる。
【００１７】
本発明の小袋は、合成樹脂製の積層フィルム基材を袋状に成形して得られる。この積層フィルム基材は、袋内面側に位置する最内層が直鎖状低密度ポリエチレンからなり、その外層側に袋としての機械的強度を得るために補強フィルム層が１層または２層以上積層されてなる。
【００１８】
補強フィルム層は、機械的強度が大きいフィルムからなり、例えばナイロン系樹脂、ポリビニルアルコール系樹脂、ポリエチレン系樹脂、ポリプロピレン系樹脂などの合成樹脂からなる延伸フィルムが用いられる。
【００１９】
直鎖状低密度ポリエチレンフィルムの厚さは、５０〜３００μｍが好適であり、好ましくは９０〜１５０μｍ、さらに好ましくは１３０〜１５０μｍが好適である。
一方、補強フィルムの厚さは一層分の厚みとして１０〜３０μｍが好適であり、好ましくは１５〜２０μｍである。
【００２０】
【発明の効果】
本発明によれば、非イオン界面活性剤を主剤としエタノールを含有する液体洗浄剤において、特定のアニオン界面活性剤と特定のカチオン界面活性剤を組合せて液体洗浄剤組成物とし、この組成物を特定の複合フィルム基材からなるプラスチック製小袋に充填することにより、長期保存時、特に屋外保存にて小袋内壁にダマが発生する事が防止され、小袋入りの洗浄剤の商品価値を高めることができる。
【００２１】
【実施例】
以下、実施例によって本発明を具体的に説明するが本発明は以下の実施例に限定されるものではない。
【００２２】
《ダマの評価方法》
容積６００ｍＬの小袋に洗浄剤組成物を充填してサンプルとする。このサンプルを屋上にて斜めに倒して静置し、３０日間放置し、ダマの発生状況を下記の基準にて評価する。
○：ダマが認められない
×：ダマが認められる
【００２３】
実施例１〜１０
以下の合成樹脂フィルムを用いて、直鎖状低密度ポリエチレンフィルムが最内層となるようにヒートシールして小袋（容積６００ｍＬ）を作成し、この中に表１および表２に示した液体洗浄剤組成物を充填して、小袋入り液体洗浄剤を製造し、ダマの発生を評価した。結果を表１および表２に示した。
【００２４】
積層フィルムＩ
延伸ナイロン（１５μｍ）／延伸ナイロン（１５μｍ）／直鎖状低密度ポリエチレン（１３０μｍ）
【００２５】
積層フィルムＩＩ
延伸ナイロン（１５μｍ）／高密度ポリエチレン（２０μｍ）／直鎖状低密度ポリエチレン（１３０μｍ）
【００２７】
積層フィルムＩＶ
延伸ポリエチレンテレフタレート（２０μｍ）／直鎖状低密度ポリエチレン（１３０μｍ）
【００２８】
積層フィルムＶ
延伸ポリプロピレン（２０μｍ）／エチレン−ビニルアルコールポリマー（１６μｍ）／直鎖状低密度ポリエチレン（１３０μｍ）
【００２９】
積層フィルムＶＩ
延伸ポリビニルアルコール（２０μｍ）／直鎖状低密度ポリエチレン（１３０μｍ）
上記において括弧内はフィルムの厚さを示し、また、エチレン−ビニルアルコールコポリマーは中間層にのみ使用される。
【００３０】
【表１】
0003563796.tif 000003
【００３１】
【表２】
0003563796.tif 000004